(57)【要約】液体濃縮物を分配するための容器は、容器開口部を包囲する上端縁を有する容器本体と、容器本体の上端縁に対して封止されたキャップベースとを備える。キャップベースは、内ねじ部を有する壁部と、注出口と注出開口部を包囲する漏斗部とを含む。容器は、肩部を有するキャップトップを含み、肩部は、外ねじを有し、肩部から垂下してチャネルを画定するフランジを含み、チャネルは、キャップトップの下端縁に向かって開口し、フランジの内部とキャップトップの壁部との間に位置する。キャップトップは、キャップベースにねじ嵌合し、キャップトップの肩部とフランジの少なくとも一方とキャップベースの壁部との間に外側封止部を形成し、キャップトップの側壁部の下端縁とキャップベースの漏斗部との間に内側封止部を形成することができる。
2016501164.tif 000002
【特許請求の範囲】
【請求項１】
液体濃縮物を分配するための容器であって、
上端部、下端部、ならびに前記上端部および前記下端部を接続し液体濃縮物を収容するための中空の内部を画定する側壁部を有し、前記上端部が容器開口部を囲む上端縁を含む容器本体と、
前記容器本体の前記上端縁に対して封止されたキャップベースで、前記キャップベースが上端縁および下端縁を有する壁部を含み、前記壁部が内ねじ部を有し、前記キャップベースが、液体濃縮物を、開口部を通して前記本体の内部に向けるための、前記開口部を囲む漏斗部をさらに含み、前記キャップベースが、前記開口部に隣接する前記漏斗部から上方に延在する注出口をさらに含む、キャップベースと、
前記キャップベースに取り外し可能に取り付けられ、前記キャップベースの前記注出口および前記開口部を覆うキャップトップで、前記キャップトップは、閉じた上端部と、開口部を囲む下端縁と、これらの間の側壁部と、前記キャップトップの前記側壁部の周りに配置された外方延在肩部とを有し、前記肩部は外ねじ部を有するフランジを含み、前記フランジは、前記肩部から垂下して、前記キャップトップの前記下端縁に向かって開口し、かつ、少なくとも部分的に前記キャップトップの前記フランジと前記側壁部の対向する部分との間に位置するチャネルを画定し、前記チャネルは、前記キャップトップの前記下端縁と前記チャネルとの間で前記キャップトップの前記側壁部の外面部に沿って垂れる液体濃縮物を収集するよう適合されており、前記キャップトップは、前記キャップベースとねじ嵌合し、前記キャップトップの前記肩部および前記フランジの少なくとも一方と前記キャップベースの前記壁部との間に外側封止部が形成され、前記キャップトップの前記側壁部の前記下端縁と前記キャップベースの前記漏斗部との間に内側封止部が形成される閉止位置を有する、キャップトップと
を備えることを特徴とする容器。
【請求項２】
前記注出口を好ましい向きにして液体濃縮物を分配するための把持手段をさらに備える、請求項１に記載の容器。
【請求項３】
前記キャップトップ、前記キャップベースおよび前記容器本体のそれぞれの少なくとも一部を覆うシュリンクラップスリーブをさらに備え、前記シュリンクラップスリーブは、前記キャップトップの取り外しを可能にするために前記スリーブを開ける手段を含む、請求項１に記載の容器。
【請求項４】
前記フランジは、前記肩部から下方に、前記キャップトップの前記側壁部の隣接部分よりも短い距離で延在する、請求項１に記載の容器。
【請求項５】
前記容器本体の前記上端縁に取付けられ、前記容器開口部を封止するフィルムをさらに備える、請求項１に記載の容器。
【請求項６】
前記フィルムの少なくとも一部を前記フィルムの残余の部分から分離可能とし、前記キャップベースの前記開口部に整列した分配開口部を前記フィルムに形成する、請求項５に記載の容器。
【請求項７】
前記キャップベースの前記開口部の周囲の少なくとも一部に取り外し可能に取り付けられた不正開封防止部材をさらに備え、前記不正開封防止部材が前記フィルムの一部に取り付けられており、前記不正開封防止部材は、前記キャップベースの前記開口部の周囲の部分から分離することで前記フィルムの少なくとも一部を除去し、前記分配開口を前記フィルムに形成するように構成されている、請求項６に記載の容器。
【請求項８】
前記キャップベースは、前記フィルムを介して、前記容器の前記上端縁に対して封止される、請求項５に記載の容器。
【請求項９】
前記注出口の少なくとも一部は、前記キャップベースの前記壁部の前記上端縁よりも上方に延在する、請求項１に記載の容器。
【請求項１０】
前記漏斗部は、前記キャップベースの前記壁部の前記下端縁に向かって下方向に半径方向に延在し、水平面に対して少なくとも１５度の角度で配向されている、請求項１に記載の容器。
【請求項１１】
前記容器開口部と前記キャップベースの前記開口部はそれぞれ、それらを貫く中心軸線を有し、前記漏斗部により囲まれる前記開口部の前記中心軸線は、前記容器開口部の前記中心軸線から外れている、請求項１に記載の容器。
【請求項１２】
前記キャップベースの前記開口部は涙滴形状をなし、液体濃縮物が、涙滴の頂点を通って前記注出口の分配面に向けられるように配向される、請求項１に記載の容器。
【請求項１３】
前記キャップトップの前記側壁部は、前記キャップトップ内での液体濃縮物の測定に使用するための少なくとも１つの視覚インジケータを含み、前記キャップトップの前記側壁部は、前記少なくとも１つの視覚インジケータが前記キャップトップの前記側壁部の両側から視認できるように、少なくとも部分的に透明である、請求項１に記載の容器。
【請求項１４】
前記キャップベースのいずれの部分も、前記容器開口部を通って前記容器の内部に入ることがない、請求項１に記載の容器。
【請求項１５】
液体濃縮物とさらに組み合わされる、請求項１に記載の容器。
【請求項１６】
前記キャップベースの壁部は、前記キャップベースの前記上端縁から前記キャップベースの前記下端縁まで湾曲しており、前記容器の中心長手軸線に対して、上から下への方向で外方に延在する、請求項１に記載の容器。
【請求項１７】
前記外側封止部は、前記キャップトップの前記肩部の当着部と前記キャップベースの前記壁部の前記上端縁との間に形成される、請求項１に記載の容器。
【請求項１８】
前記外側封止部は、前記キャップトップの前記フランジの前記外ねじ部と前記キャップベースの前記壁部の前記内ねじ部との間に形成される、請求項１に記載の容器。
【請求項１９】
請求項１に記載の容器から液体濃縮物を分配する方法であって、
前記キャップベースから前記キャップトップを除去し、第１封止部と第２封止部を開封するステップと、
液体濃縮物を、前記容器本体の内部から前記キャップベースの前記開口部を通じて前記キャップトップ内部に入れて、レベルインジケータまで注ぐステップと
を含むことを特徴とする方法。
【請求項２０】
前記キャップトップ内部から液体濃縮物を注ぐステップと、前記キャップトップ内部から液体濃縮物を注いだ後に、前記チャネルの上方で前記キャップトップの前記側壁部に垂れた液体濃縮物を前記チャネル内に収集するステップとをさらに含む、請求項１９に記載の方法。
【請求項２１】
前記容器本体を封止するフィルムの一部を、前記キャップベースの前記開口部内から除去して、分配開口部を前記フィルムに形成するステップをさらに含む、請求項１９に記載の方法。
【請求項２２】
前記フィルムの一部を除去するステップは、前記漏斗部の一部および前記フィルムの一部に少なくとも部分的に取付けられるとともに前記注出口によって包囲された不正開封防止部材を、前記注出口の分配面から離れる方向に分離して前記分配開口部を前記フィルムに形成するステップを含む、請求項２１に記載の方法。
【発明の詳細な説明】
【技術分野】
【０００１】
本明細書では、取外し可能な計量キャップを有する容器、特に、封止状態で容器に取り付けることのできる取外し可能な計量キャップを含む容器を説明する。
【背景技術】
【０００２】
プラスチック容器は、水、または炭酸飲料等の液体と混合して即時飲用可能な飲料を作る粉末濃縮物および液体濃縮物を保存するために用いられる。このような容器にとって、容器の開口部を覆うカバーと、容器から飲料を分配するための計量カップとの双方に使用することができる、取外し可能なキャップを備えることが望ましい場合がある。このようなキャップは、液体洗剤を保管する容器に広く使用されている。このような洗剤容器から液体材料を分配するために、消費者はキャップを外し、適量の液体材料を、例えば、既定の計量線まで、キャップに注ぐことができる。
【０００３】
このようなキャップの１つの欠点は、液体材料が不注意によりキャップ側壁部の外側に垂れた場合、液体材料は側壁部に沿って垂れ落ち、容器の側壁部、またはテーブルやユーザの衣服等の、容器の下にある表面を汚す可能性があるということである。このようなキャップのもう１つの欠点は、液体材料がキャップ側壁部の内側に垂れまたはこぼれた場合に、液体材料は、容器にキャップを取り付けているねじ部上に垂れ、ねじ部を汚し、液体材料を容器の頸部上にあるねじ部にまで伝えてしまうということである。これにより、キャップのねじ部と容器頸部が互いにくっついてしまう、望ましくない結果を招くことがある。このようなキャップのさらに他の欠点は、キャップと容器頸部との間のねじ込み連結が、容器にとっての唯一の封止部であり、容器を不注意により反転すると、液体材料が容器から漏れ出したり、キャップのねじ部と容器との間の接触面に流れ込み、接触面を汚したりするという点である。
【０００４】
いくつかの洗剤キャップは、流体収集チャネルを有する側壁部を備える。このようなチャネルは、液体材料がキャップの側壁部を下まで垂れ落ちるのを制限し、および／または防止することができる。しかしながら、チャネル内に位置するねじ部が、チャネル内に集められた液体物質に触れることがある。そのため、このようなチャネルのねじ部が汚れ、容器頸部のねじ部に液体材料が不所望にも伝わる可能性がある。
【発明の概要】
【０００５】
液体濃縮物を分配するための容器は、容器開口部を包囲する上端縁を有する容器本体と、容器本体の上端縁に対して封止されたキャップベースと、キャップベースに取り外し可能に取り付けられたキャップトップとを含む。キャップベースは、注出口と注出開口部を包囲する漏斗部とを含む。キャップベースは、容器本体からキャップトップに液体濃縮物を注ぐ際に、消費者が誤って液体濃縮物をキャップベース上にこぼしてしまった場合に、注出開口部を包囲し、液体濃縮物が本体内部に戻るように導く漏斗部を含む。また、こぼれた液体濃縮物がキャップベースの側壁部に沿って垂れるのを制限するため、キャップベースは、垂れている液体濃縮物を収集するチャネルをさらに含む。キャップベースは、チャネルの外側に位置し、チャネル内に収集される液体濃縮物との接触を制限された外ねじを有する肩部を含む。キャップトップは、キャップベースとともに複数の封止部を形成する。外側封止部はキャップトップの肩部およびフランジの少なくとも一方とキャップベースの壁部との間に形成され、内側封止部はキャップトップの側壁部の下端縁とキャップベースの漏斗部との間に形成される。
【０００６】
一形態では、容器は、注出口を好ましい向きにして液体濃縮物を分配するための把持手段を含む。容器は、キャップトップ、キャップベース、および容器本体のそれぞれの少なくとも一部を覆うシュリンクラップスリーブを含むことができ、シュリンクラップスリーブは、キャップトップの取り外しを可能にするためにスリーブを開ける手段を含むことができる。一形態では、フランジは、肩部から下方に、キャップトップの側壁部の隣接部分よりも短い距離で延在する。
【０００７】
容器は、容器本体の上端縁に取付けられ、容器開口部を封止するフィルムまたは他のバリアを含むことができる。フィルムまたはバリアの少なくとも一部をフィルムの残余の部分から分離可能とし、キャップベースの開口部に整列した分配開口部をフィルムに形成してもよい。一形態では、容器は、キャップベースの開口部の周囲の少なくとも一部に取り外し可能に取り付けられた不正開封防止部材を含む。不正開封防止部材をフィルムの一部に取り付けてもよい。不正開封防止部材は、キャップベースの開口部の周囲の部分から分離することでフィルムの少なくとも一部を除去し、分配開口をフィルムに形成するように構成されている。キャップベースを、フィルムを介して、容器の上端縁に対して封止することができる。
【０００８】
一案として、注出口の少なくとも一部は、キャップベースの壁部の上端縁よりも上方に延在する。漏斗部は、キャップベースの壁部の下端縁に向かって下方向に半径方向に延在することができ、かつ、水平面に対して少なくとも１５度の角度で配向されている。容器開口部とキャップベースの開口部はそれぞれ、それらを貫く中心軸線を有することができ、キャップベースの開口部の中心軸線は、容器開口部の中心軸線から外れている。
【０００９】
漏斗部は、涙滴形状とすることができ、液体濃縮物が涙滴の頂点を通って注出口の分配面に向けられるような向きとすることができる。
【００１０】
別案では、キャップトップの側壁部は、キャップトップ内での液体濃縮物の測定に使用するための少なくとも１つの視覚インジケータを含み、キャップトップの側壁部は、少なくとも１つの視覚インジケータがキャップトップの側壁部の両側から視認できるように、少なくとも部分的に透明である。
【００１１】
任意選択で、キャップベースのいずれの部分も、容器開口部を通って容器の内部に入ることがない。キャップベースの壁部は、キャップベースの上端縁からキャップベースの下端縁まで湾曲しており、容器の中心長手軸線に対して、上から下への方向で外方に延在することができる。本明細書に記載される容器は、液体濃縮物と組み合わせることができる。
【００１２】
一形態において、外側封止部を、キャップトップの肩部の遠位端または当着部とキャップベースの壁部の上端縁との間に形成してもよい。別の形態において、外側封止部を、キャップトップのフランジの外ねじ部とキャップベースの壁部の内ねじ部との間に形成してもよい。さらに別の形態において、外側封止部を、両方の場所に形成することができる。
【００１３】
上述した容器から液体濃縮物を分配する方法を提供する。一形態では、この方法は、キャップベースからキャップトップを除去し、第１封止部と第２封止部を開封するステップと、液体濃縮物を、容器本体の内部からキャップベースの開口部を通じてキャップトップ内部に入れて、レベルインジケータまで注ぐステップとを含む。この方法はさらに、キャップトップ内部に液体濃縮物を注いだ後に、チャネルの上方でキャップトップの側壁部に垂れた液体濃縮物をチャネル内に収集するステップをさらに含むことができる。また、この方法は、容器本体を封止するフィルムの一部を、キャップベースの開口部内から除去して、分配開口部をフィルムに形成するステップを含んでもよい。また、この方法は、漏斗部の一部およびフィルムの一部に少なくとも部分的に取付けられるとともに注出口によって包囲された不正開封防止部材を、注出口の分配面から離れる方向に分離して分配開口部をフィルムに形成するステップを含んでもよい。
【図面の簡単な説明】
【００１４】
【図１】容器の一形態の側面斜視図であり、キャップトップをキャップベースおよびシュリンクラップに取り付けた閉止位置で示す。
【図２】図１の容器の上面図である。
【図３】図１の容器の分解側面斜視図である。
【図４】図１のキャップトップの底面斜視図である。
【図５】図１のキャップトップの上面図である。
【図６】図１の容器のキャップトップ、キャップベース、封止フィルム、および要部の正面断面図であり、容器の底部を破断して示す。
【図７】キャップベースと封止フィルムの一部の部分拡大図であり、封止フィルムの層を示す。
【図８】図１のキャップベースの上面図である。
【図９】容器の他の形態の正面斜視図であり、キャップトップをスカート状キャップベースおよびシュリンクラップに取り付けた閉止位置で示す。
【図１０】図１の容器の上面図である。
【図１１】図８の容器のキャップトップ、キャップベース、および要部の正面断面図であり、容器の底部を破断して示す。
【発明を実施するための形態】
【００１５】
液体濃縮物を分配するための容器は、容器本体と、容器本体に対して封止されたキャップベースと、キャップベースにねじ係合された、容器本体を封止するキャップトップを含む。キャップベースは、不注意に滴下された液体を収集し、それを容器内に戻るよう案内するよう適合されている。また、キャップベースは、キャップトップの外側側壁部の上部またはその近くでキャップベースの注出口から垂れる液体濃縮物を収集するように適合されたチャネルを含む。容器が閉じられた場合、キャップトップは、キャップベースへのねじ接続を介して、かつ、キャップベースの上側対向面と接触して配置された側壁部の下端縁を介して、容器本体に対する二重の封止を提供する。キャップトップのねじ部は、チャネルの外側に位置しており、チャンネルに収集した液体濃縮物がキャップトップのねじ部と接触するのを制限している。
【００１６】
液体濃縮物を貯蔵および分配するための容器１０の一形態を図１〜３に示す。容器は、上端部１４、下端部１６、および上端部１４と下端部１６を連結する側壁部１８を有する容器本体１２を有する。容器本体１２の上端部１４は、容器頚部２２と、容器開口部２７を囲む上端縁２４を含む。側壁部１８は、液体濃縮物を収容することができる容器本体１２の中空内部２０を画定する。図２に示すように、側壁部１８は略長方形の断面を有しており、側壁部１８の表面１８ａおよび裏面１８ｂは、第１辺１８ｃおよび第２辺１８ｄよりも広い。また、容器本体１２の側壁部１８は、任意の他の形状、例えば、円形、正方形、または三角形の断面を有してもよいことを理解されたい。容器本体１２は、種々の材料から形成することができ、一案では、１種以上のプラスチック材料、例えば、高密度ポリエチレン、高密度ポリプロピレン等から形成することができる。
【００１７】
一案では、容器本体１２の内部２０に貯蔵された液体濃縮物は、液体、例えば、水と混合すると、即時飲用可能（ＲＴＤ）飲料を提供するのに適している。一形態では、液体濃縮物は飲用可能であり、他の溶液と混合することなく、ユーザが消費可能としてもよい。別の形態で、液体濃縮物は（例えば、高酸度および／または液体濃縮物中のフレーバー強度等のため）非飲用であるが、水および／または他の飲用液体、例えば、ジュース、ソーダ、お茶、コーヒー等と混合してＲＴＤ飲料を提供するようにしてもよい。一態様では、液体濃縮物は、攪拌せずに、容器１０から飲用液体に添加することができ、別の態様では、撹拌しながら、液体濃縮物を飲用液体に添加することができる。また、容器１０は、容器１０から水、ジュース、ソーダ等に分配して、ＲＴＤ飲料を形成することのできる任意の好適な粉末を収容することもできる。
【００１８】
容器１０は、容器本体１２の上端縁２４に対して封止されたキャップベース２６と、キャップベース２６に取り外し可能に取り付けられたキャップトップ２８を含む。図１および３に示されている形態では、キャップベース２６は、容器本体１２から取り外し可能でもなく、容器本体１２に対して回転可能でもないように、容器本体１２に対して取付けられている。一案では、キャップベース２６は、例えば、超音波溶接、ヒートシール等の溶接により、容器本体１２の上端縁２４に取り付けられている。
【００１９】
容器１０は、図６に示すように、上端縁２４に取り付けられたフィルム３０を含み、容器本体１２の内部２０を封止する。フィルム３０は、ヒートシール、溶接、超音波溶接、接着剤、または他の任意の適切な手段によって、容器本体１２の上端縁２４に取り付けられてもよい。フィルム３０は、金属層、例えば、アルミ箔ラミネートを含む材料から作ることができる。一案では、フィルム３０は、図７に示すように、一対の外側シーラント層４１、４３およびそれらの間のメタライズ層３９を含むことができる。外側シーラント層４１および４３は、ポリエチレン、ポリプロピレン等を含むことができ、一方、メタライズ層３９はアルミニウムを含むことができる。フィルム３０は、容器本体１２の上端縁２４に封止されているが、図６に示すように、キャップベース２６は、フィルム３０を介して容器本体１２の上端縁２４に対して封止されている。より具体的には、フィルム３０の下面３７が容器本体１２の上端縁２４に溶接またはヒートシールされ、キャップベース２６のリム３１が、容器本体１２の上端縁２４に概ね沿って、フィルム３０の上面３５に溶接またはヒートシールされる。容器１０をフィルム３０無しで構成し、キャップベース２６が容器本体１２の上端縁２４に、例えば、溶接またはヒートシールによって、直接封止されてもよいことが理解されよう。
【００２０】
図３を参照し、キャップベース２６は、上端縁３４と下端縁３６を有する壁部３２を含む。キャップベース２６を円形で、壁部３２を環状で示しているが、キャップベース２６と壁部３２を円形以外の形状、例えば、楕円形、長円形、矩形等とし、容器および容器頸部の多様な形状に対応できることが理解されるであろう、図３および６に示されている形態では、壁部３２は、内側に面した表面３８および内ねじ部４０を有する。一案において、図３に示すように、内ねじ部は、環状壁部３２の上端縁３４に近接して配置される。
【００２１】
図１、３および６を参照し、キャップベース２６は、キャップベース２６の壁部３２を囲むリム３１から下方に延在し、キャップベース２６の下端縁３６を含むリップ２９を含む。例えば図６に示すように、キャップベース２６を容器本体１２に取り付けた場合、リム３１は、容器本体１２の上端縁２４上に置かれ、この上端縁２４に対して（例えば、ヒートシールまたは溶接によって）封止される。特に、リム３１は、フィルム３０の上面３５に封止されており、フィルム３０の下面３７は、容器本体１２の上端縁２４に（例えば、ヒートシールまたは溶接により）封止される。
【００２２】
図１に示すように、キャップベース２６のリップ２９は、容器本体１２の上端縁２４と頸部２２を覆う。リップ２９は、容器本体１２の頸部２２を完全に覆うように示されているが、リップ２９は、頸部２２を部分的にのみ覆ってもよい。上記でより詳細に説明したように、キャップベース２６が、容器本体１２の上端縁２４に対して封止されている場合には、図６に示すように、フィルム３０は容器本体１２の開口部２７を覆い、キャップベース２６のいずれの部分も容器本体１２の頸部２２または内部２０内には配置されない。特に、キャップベース２６のリム３１は頸部２２を囲み、一方、キャップベース２６のリム３１および壁部３２の両方は、頸部２２の外側にあり、容器本体１２の内部２０内には延在しない。これは、フィルム３０が、容器本体１２の頸部２２または内部２０内へのキャップベース２６の延在を防止しているためではないことに留意すべきである。例えば、容器１０がフィルム３０無しで作られた場合には、キャップベース２６のいずれの部分も、容器本体１２の頸部２２または内部２０内に延在しないであろう。
【００２３】
容器１２は、任意選択で、キャップベース２６が、容器本体１２から取り外し可能および／または容器本体１２に対して回転可能であるように構成されてもよいことが理解されよう。例えば、キャップベース２６は容器本体の頸部２２を摩擦嵌合しており、容器１０からの液体濃縮物の通常の分配中には、キャップベース２６が動いたり回転したりしないが、例えば、清掃および／または洗浄の目的でキャップベース２６を取り外すために、より強い力を加えた場合には、容器本体１２から取り外し可能としてもよい。さらに、キャップベース２６は、平坦な上端縁２４に取り付けられているように示されているが、キャップベース２６を、少なくとも部分的に凸または凹状である上端縁を有する頸部を有する容器に除去可能に取り付けられるよう構成してもよい。
【００２４】
図１、３および６を参照し、キャップベース２６は、開口部４４の下にあるフィルム３０の一部を除去した場合に、容器１２の本体の内部２０と液体連通したキャップベース２６の開口部４４を囲む漏斗部４２をさらに含む。以下でより詳細に説明するように、漏斗部４２は、「ドレイン・バック（排水戻し）」機能を提供し、漏斗部４２と（例えば、垂れまたは不注意によるこぼれにより）接触した液体濃縮物を、キャップベース２６の開口４４を通り、容器本体１２の内部２０に戻るように向ける。
【００２５】
漏斗部４２は、キャップベース２６の環状壁部３２の下端縁３６に向かって下方向に半径方向内側に延在する。漏斗部４２を、水平面に対して、（消費者が液体濃縮物を容器本体１２の内部２０からキャップトップ２８に分配する際に）不注意で漏斗部４２にこぼした液体濃縮物が、漏斗部４２を流下し、開口部４４を通って、容器内部２０に戻るのに十分な角度で配置することができる。好ましくは、漏斗部４２を、水平面に対して少なくとも５度、より好ましくは水平面に対して少なくとも１０度、さらにより好ましくは水平面に対して少なくとも１５度に配向する。一案では、水平に対する漏斗部４４の傾斜角度は、５度と６０度の間、より好ましくは１０度と４５度の間、さらにより好ましくは１５度と３５度の間である。
【００２６】
図１、３、および６を参照し、キャップベース２６は、漏斗部４２から上方に延在する注出口４６も含む。図示の形態では、注出口４６は、上端縁４７を有し、キャップベース２６の環状壁部３２の上端縁３４の上方に延在しており、液体濃縮物が注出口４６を介して容器１０から注がれる際に、注出口４６の上端縁４７からキャップベース２６上にこぼれる液体濃縮物を低減または排除することができる。注出口４６は、液体濃縮物が容器本体１２から注出口４６を通って分配される際に、液体濃縮物を受容し案内する、少なくとも部分的に傾斜台の形態をした、内側を向いた分配面４８を有する。図示の形態では、注出口４６の分配面４８は全体が凹状であるが、注出口４６の分配面４８は、一部のみで凹状であるか、または、全く凹状でなくすることができることが理解されるであろう。例えば、注出口４６は、点で交わる２収束面の形態であってもよい。
【００２７】
図７に示すように、漏斗部４２によって囲まれる開口部４４は、涙滴形状の外周を有する。開口部４４の形状は、容器本体１２から注がれた液状濃縮物を、開口部４４の周囲の狭窄部４５を通って注出口４６の分配面４８上に向けるのを容易にする、好適な注出点または領域が提供されるようなものとする。図７から分かるように、キャップベース２６の開口部４４は、キャップベース２６の中心から外れており、開口部４４を通る中心長手軸線は、キャップベース２６の中心軸線から外れ、開口部４４の周囲の一方の辺に、開口部４４の周辺の対向する辺よりも近く、これによって、方向性流動の精度を上げ、流れ制御を向上させることができる。図３から分かるように、開口部４４の中心軸線は、容器開口部２７を通る中心長手軸線から外れている。
【００２８】
注出口４６は、例えば図３および７に示すように、部分的に開口部４４を囲み、液体濃縮物が漏斗部４２を流下し、開口部４４を通ることを可能にする。一形態では、注出口４６は、開口部４４の周囲の半分未満を囲むことができ、他の形態では、注出口４６は、開口４４の周囲の半分以上を取り囲むことができる。一形態では、注出口４６は、開口部４４の周囲を０〜１２０度、他の形態では０〜１８０度、さらに他の形態では０〜２４０度の範囲で周方向に延在することができる。図３に示すように、注出口４６は、２つの自由端５０および５２を有し、その間には隙間が開いている。注出口４６の自由端５０および５２の間の隙間は、後述する目的のために、ユーザがこの隙間を介して少なくとも１本の指を挿入できるような寸法である。任意選択で、ユーザの指が横方向から隙間に入ることができないほどに隙間を小さくし、ユーザが注出口４６の上方から指を挿入する必要があるようにすることができる。
【００２９】
キャップベース２６は、種々の材料から形成することができる。一案では、キャップベース２６は容器本体１２と同じ１つまたは複数の材料から作られ、別案では、キャップベース２６は容器本体１２とは少なくとも１つの異なる材料から作られる。例えば、キャップベース２６は、高密度ポリエチレン、高密度ポリプロピレン等の１つ以上のプラスチック材料を含むことができる。一態様では、キャップベース２６の注出口４６は、液体濃縮物が、例えば、注出口４６の上端縁４７または側端縁５０および５２から垂れるのを制限する表面を含む。例えば、注出口４６は、液体濃縮物を注出口４６から容器に注ぐ際の、液体濃縮物の垂れを低減することができる１種以上の材料で被覆することができる。例えば、このような材料は、キャップベース２６用の樹脂へのスリップ添加剤の添加、シリコンコーティング、および非常に滑らかな仕上げを含むことができる。
【００３０】
キャップトップ２８はキャップベース２６に取り外し可能に取り付けられ、図２に示すように、容器本体１２をさらに封止し、注出口４８およびキャップベース２６の開口部４４を覆う。キャップトップ２８をキャップベース２６に取り付ける場合、キャップトップ２８の中空な内部７２を外部の汚染物質から封止することが有利である。図示の形態では、キャップトップ２８は、略ドーム形であるが、キャップトップ２８は、容器の種々の形状に一致する任意の他の形状（例えば、正方形、長方形、楕円形、三角形等）であってもよい。キャップトップ２８は、閉じた上端部６４を有する。図６に示すように、上端部６４は、平坦部または直線部６６を含む。上端部６４が湾曲していてもよいことが理解されるであろう。平坦部６６は、キャップトップ２８が、容器本体１２からキャップトップ２８の中空な内部７２に液体濃縮物を分配するための台部等の平坦面上に安定的に位置することを可能にする。
【００３１】
図３および４を参照し、キャップトップ２８は、開口部７０をキャップトップ２９の中空な内部７２の中に包囲する下端縁６８と、上端部６４と下端縁６８の間で延在し、中空な内部７２を囲む側壁部７４とを含む。図４に示す形態では、キャップトップ２８の中空な内部７２は、容器本体１２の内部２２からの所定量の液体濃縮物を受容するために、上端部６４から下端縁６８まで延在する。中空な内部７２は、容器本体１２からの液体濃縮物を受容すると説明しているが、キャップトップ２８の内部７２は、液体（例えば、水、ジュース、ソーダ等）または固体材料（例えば、液体濃縮物と混合するための粉末）も受容することができる。キャップトップ２８の中空な内部７２は、図４および６では、１つの側壁部７４により囲まれているが、キャップトップ２８は、側壁部７４から内方に離間し、容器本体１２からの液体濃縮物を受容する略円筒形の空洞を形成する第２壁部を含むことができることを理解されたい。
【００３２】
図６を参照し、キャップトップ２８は、キャップトップ２８の側壁部７４の周りに延在する、外方延在肩部７８を含む。肩部７８は、そこから垂下するフランジ８０を含む。肩部７８の位置に対して測定すると、フランジ８０は、キャップトップ２８の側壁部７４の隣接部分よりも短い距離で、キャップトップ２８の下端縁６８に向かって下方に延在する。換言すれば、図６に示すように、側壁部７４の、肩部７８を越えて、キャップトップ２８の下端縁６８に向かって延在する部分は、フランジ８０よりも長い。
【００３３】
肩部７８、フランジ８０、側壁部７４の、フランジ８０に対向する部分が、キャップトップ２８の側壁部７４上に不注意で垂れまたはこぼれた液体濃縮物を収集するためのチャネル８２を画定する。特に、消費者が、液体濃縮物をキャップトップ２８の中空な内部７２に（その下端縁６８を上方向に向けて状態に配置して）注ぐ場合、多少の液体濃縮物が下端縁６８上または下端縁６８に近接する側壁部７４上に垂れまたはこぼれる可能性がある。チャネル８２は、有利には、こぼれた液体濃縮物が、側壁部７４を下りチャネル８２内に入るように向けることができるように配置される。このように、チャンネル８２は、液体濃縮物が側壁部７４から表面（例えば、テーブル、椅子、ソファ、消費者の衣服等）に垂れ落ち、そこで望ましくない汚れを作ることを制限することができる。
【００３４】
フランジ８０が、フランジ８０の外表面上に配置されているねじ部８４を有していると有利である。したがって、キャップトップ２８は、キャップベース２６に固定されると、キャップベース２６の内ねじ部４０と係合するねじ部８４は、収集チャネル８２内に配置されず、かつ、液体濃縮物が側壁部７４を下り収集チャネル８２内に垂れた場合に、液体濃縮物と接触しない。本発明は、キャップトップのねじ部がフランジの内表面上に、したがってチャネル内に配置されており、収集チャネルに垂れた液体濃縮物と日常的に接触するよう構成されている公知のキャップトップとは異なる。このようなキャップトップがねじ嵌合により容器に固定されている場合には、（消費者によって、粘り気があると知覚されることがある）液体濃縮物は、キャップトップのねじ部から容器のねじ部に移る可能性があるが、このことは、少なくともキャップトップがねじ部の接触面で容器に付着することから、望ましくない。このようにねじ部８４の位置が、フランジ８０の外面で、収集チャネル８２の外側にあることで、ねじ部８４が、収集チャネル８２内に垂れた液体濃縮物と接触するのを有利に制限する。
【００３５】
図示の形態では、キャップトップ２８は、キャップベース２６に取り付けることにより、容器１０に装着されている。具体的には、図６に示すように、キャップトップ２８が容器１０に装着され、容器１０が閉じている場合に、キャップトップ２８のフランジ部８０の外ねじ部８４は、キャップベース２６の壁部３２の内ねじ部４０と係合し、第１封止部Ｓ１がキャップベース２６の内ねじ部４０とキャップトップ２８の外ねじ部８４との間に形成され、液体濃縮物がねじ部４０とねじ部８４との間の接触面を通って流れることが制限される。さらに、図６に示すように、キャップトップ２８はキャップベース２６に取り付けられ、キャップトップ２８の側壁部７４の下端縁６８が漏斗部４２の上向き面と係合して、第２封止部Ｓ２を作る。キャップベース２６のねじ部４０とキャップトップ２８のねじ部８４が完全に係合すると、図６に示すように、キャップトップ２８の肩部７８の当着部７９がキャップベース２６の上端縁３４に係合し、封止部Ｓ３を形成する。容器１０は、図６において、３つの封止部Ｓ１、Ｓ２、およびＳ３を有するように示されているが、Ｓ１およびＳ３は、代替的な任意選択の封止部であることが理解されるであろう。換言すれば、キャップトップ２８は、２つの封止部が存在する場合、十分に容器１０を封止することができるように構成されている。例えば、Ｓ１とＳ２のどちらかが存在する場合、またはＳ２およびＳ３が存在する場合、キャップトップ２８は十分に容器１０を封止することができる。
【００３６】
第１および第２封止部Ｓ１、Ｓ２は、任意選択の第３の封止部Ｓ３とともに、又は、第３の封止部無しに、容器１０内の液体濃縮物を封止し、以前に開封した（すなわち、フィルム３０が容器内部２０の開口部２２を完全に封止していない）容器１０を、キャップトップ２８から液体濃縮物が漏れ出すことなく、上下反転させた状態に数分間維持することができる。また、側壁部７４の下端縁６８と漏斗部４２の上向き面との間の第２封止部Ｓ２０の存在により、液体濃縮物が、容器本体１２の内部２０から、キャップベース２６のねじ部４０とキャップトップ２８のねじ部８４との間の接触面に漏れだし、ねじ部４０および８４を汚すのを制限することができる。
【００３７】
キャップトップ２８を容器１０に装着した場合、図６に示すように、キャップトップ２８は、容器本体１２の内部２０の完全に外にある。換言すれば、キャップトップ２８を容器１０に装着した場合、キャップトップ２８のいずれの部分も容器本体１２の内側２０に位置してない。また、図６は、キャップトップ２８を容器１０に装着した場合、キャップトップ２８のいずれの部分も容器本体１２に接触しないことを示している。このことは、通常、容器本体１２が外ねじ部を有する頸部を持ち、ねじ接続を介して頸部に直接取り付けられていることを必要とする公知のキャップトップと異なる。
【００３８】
所定量の液体濃縮物をキャップトップ２８に分配するのを容易にするために、図４に示すように、キャップトップ２８の側壁部７４は透明である。側壁部７４は、特定用途向け液体濃縮物が、キャップトップ２８の内部７２内で所定量に到達したことをユーザに示すための１つ以上のインジケータ７６、７８を含むことができる。このように、キャップトップ２８は、容器１０用の計量カップを提供する。例えば、１つのインジケータ７６を、８オンス（２３６．６ｍｌ）グラスのＲＴＤに十分な量の液体濃縮物がキャップトップ２８に注がれていることを示すように選択し、別のインジケータ７８を、１クォート（９４６．４ｍｌ）のＲＴＤに十分な液体濃縮物が、キャップトップ２８内に注がれたことを示すように選択してもよい。レベルインジケータ７６は、印刷したマークまたは表面加工（例えば、エッチング、リブ等）の形態であってもよい。例示的なキャップトップ２８は透明であるので、レベルインジケータ７６を側壁部７４の内面または外面のいずれかの上に配置することができ、その場合に視認可能である。一案では、キャップトップは不透明であってもよく、レベルインジケータ７６を側壁部７４の内面上に配置して、キャップトップ２８に液体濃縮物を注いだ際に、消費者に視認可能とすることができる。上述したように、キャップトップ２８の上端部６４は、注ぎ操作中に、キャップトップ２８を平坦面上に安定して配置できるようにする平坦部６６を含み、ユーザが、片手だけを使って、容器１０からキャップトップ２８に液体濃縮物を注ぐことを可能にする。
【００３９】
キャップトップ２８は、種々の材料から形成することができ、一案では、容器本体１２およびキャップベース２６と同じ１つまたは複数の材料から作られ、別案では、容器本体１２およびキャップベース２６とは少なくとも１つの異なる材料から作られる。例えば、キャップトップ２８は、高密度ポリエチレン、高密度ポリプロピレン等の１つ以上のプラスチック材料を含むことができる。
【００４０】
容器本体１２の側壁部１８は、容器本体１２の側壁部１８の外面に複数の表面加工を含む。図１および３に示すように、複数の溝が容器本体１２の側壁部１８の周りで螺旋状をなす。溝１９は、側壁部１８の周囲を少なくとも約１回転し、かつ、容器本体１２を把持するためにユーザの指を部分的に受け入れるような寸法にされている。別案では、把持手段は、容器本体１２を把持するためにユーザの指を１本以上受け入れるような寸法にされている１つ以上の凹部または刻み目を含んでもよい。
【００４１】
溝１９は、消費者が指を部分的に溝１９の中に置くことにより容器本体１２を把持する場合に、容器本体１２および容器１０の注出口４６を、液体濃縮物を容器１０から分配するのに好ましい向きに配置できるに構成されている。一案では、溝１９または凹部を、キャップベース２６の開口部４４を二等分する長手軸線と整列させることができ、別案では、溝１９または凹部を、キャップベース２６の開口部４４を二等分する長手軸線から、例えば１〜１０度ずらして配置することができる。
【００４２】
容器１０は、任意選択で、容器１０が以前に開封および／または改ざんされたかどうかをユーザが判定することを可能にする、取り外し可能な不正開封防止構造を含むことができる。容器１０のキャップベース２６は、図１、３、６および８に示すように、フィルム３０の一部を除去し、容器本体１２の内部２０の封を開け、フィルム３０に分配開口部６２を設けるために使用することができる、取り外し可能な不正開封防止部材５４を含む。例示的な不正開封防止部材５４は、基部５６と、基部５６に対してヒンジ式または旋回可能に装着されたプルリング５８を含む。プルリング５８は、消費者が指を挿入してプルリング５８を把持することができ開口部６０を含む。図１に示すように、不正開封防止部材５４が存在する場合。消費者は、容器１０から液体濃縮物を分配するために、不正開封防止部材５４を除去しなければならない。
【００４３】
図８に示すように、不正開封防止部材５４の基部５６およびプルリング５８は、それぞれ横長形状および涙滴形状に示されているが、任意選択で、漏斗部４２の開口部４４の形状に合わせるために、任意に他の形状（例えば、矩形、三角形、台形等）としてもよい。不正開封防止部材５４の基部５６は、少なくとも部分的に漏斗部４２の一部とフィルム３０の少なくとも一部とに取り付けられている。一形態では、図８に示すように、不正開封防止部材５４の基部５６の周囲に沿った１つ以上の側橋縁が、リブ５７を介して漏斗部４２に、好ましくは、開口部４４の周囲に取り付けられる。不正開封防止部材５４の基部５６を、接続リブ５７を介して漏斗部４２に取り付け、不正開封防止部材５４を漏斗部４２と一緒に成形することを可能にしたものを示してきたが、代替的に、ベース５６をフィルム３０には取り付けるが漏斗部４２には取り付けないこともできる。別の代替案では、基部５６は、溶接またはヒートシールにより、開口部４４の周囲に、基部５６の全周に沿って取り付けられ、基部５６は、取り外し可能に漏斗部４２に固定される。
【００４４】
図６および７に示すように、不正開封防止部材５４の基部５６の下面は、少なくとも部分的に封止領域４９および５１（例えば、溶接、ヒートシール等により作られる）を介してフィルム３０の上面３５に、封止する周に沿って、例えば開口部４４の周囲に沿って、取り付けられる。フィルム３０を開口部４４の周囲に沿って基部５６の下面に取り付けることにより、フィルム３０の一部（好ましくは封止する周の内部）をフィルム３０の他の部分から分離し、容器本体１２の開口部２７と液体連通したフィルム３０の分配開口部６２を形成することができる。具体的には、図７に示すように、フィルムの上面３５は、封止領域５１で、開口部４４の周囲の外側の漏斗部４２に取り付けられ、封止領域４９で、開口部４４の周囲にまたは周囲内にある不正開封防止部材５４の基部５６に取り付けられ、フィルム３０は、封止領域４９と５１との間の隙間Ｇに弱化領域を有する傾向がある。開口部４４を覆う不正開封防止部材５４の基部５６の除去は、開口部４４の周囲内に位置する封止領域４９で基部５６に取り付けられたフィルムの一部を除去し、フィルム３０に分配開口部６２を設け、一方、フィルム３０の他の部分は、分配開口部６２を囲む封止領域５１で漏斗部４２に取り付けられたままとする。
【００４５】
上述の不正開封防止部材５４に加えて、容器１０は、容器１０が以前に開封および／または改ざんされたかどうかを消費者に示すための第２不正開封防止構造を備えることができる。図１に示されている形態では、容器１０の第２不正開封防止構造は、容器本体１２、キャップベース２６およびキャップトップ２８を覆うスリーブの形態であるシュリンクラップ８６である。シュリンクラップ８６は、キャップベース２６を完全に覆い、容器本体１２およびキャップトップ２８を部分的に覆う。シュリンクラップ８６の寸法は、図１において例示のみを目的として示されており、シュリンクラップ８６は、キャップトップ２８の上端部６４にまでさらに上方に延在し、容器本体１２の下端部１６にまでさらに下方に延在することができることは理解できるであろう。例えば、一案において、シュリンクラップ８６は、キャップトップ２８の上端縁６４から容器本体１２の下端縁１６まで、容器１０の２５％を覆うことができる。別案では、シュリンクラップ８６は、容器の５０％、７５％、８０％、または９０％を覆うことができる。さらに別案では、シュリンクラップ８６は、完全に容器１０を包むことができる。
【００４６】
シュリンクラップ８６は、柔軟なフィルム材料、例えば、ポリエチレンテレフタレート、共重合ポリエチレンテレフタレート、ポリエチレンテレフタレートグリコール、ポリ塩化ビニル、ポリプロピレン、ポリエチレン等から作ることができる。図１に示すように、シュリンクラップ８６は、透明な材料で作ることができる。任意選択で、シュリンクラップ８６は透明ではない材料から作ることもできる。容器１０の容器本体１２は、シュリンクラップ８６が容器１０の周りにしっかりと巻き付けられ、接着材料を使用することなく、シュリンクラップ８６が容器本体１２に対して実質的に固定化されるような輪郭である。
【００４７】
シュリンクラップ８６は、容器１０を開ける目的でキャップトップ２８にアクセスするために開封されるよう構成されており、１つ以上のプルタブ、ノッチ、切り込み線、および／または穿孔線を含むことができる。図示の形態では、シュリンクラップ８６は、シュリンクラップ８６を開くために意図された経路を表す切り込み線８８、８７、および８９を含む。切り込み線８７および８８は、図１に示すように、互いに略平行であり、容器本体１２の側壁部１８の周りに輪を形成する水平切り込み線８９と交差する。切り込み線８７および８８が互いに平行である必要はなく、互いに対して収束または発散してもよいことは理解されるであろう。同様に、切り込み線８７および８８は、切り込み線８９に対して垂直である必要はなく、９０度未満または９０度超の角度で切り込み線８９に対して配向されてもよい。
【００４８】
図１を参照し、シュリンクラップ８６は、容易に視認できる一対のノッチ８５および９０を含む。ノッチ８５および９０は、Ｖ字状であり、切り込み線８７および８８に沿って引裂き線を開始するためのプルタブ８３提供し、シュリンクラップ８６の除去を容易にする。例えば、消費者がプルタブ８３を把持し、下方向に引っ張ると、一対の引裂き線が切り込み線８７および８８に沿って伝播する。引裂き線が輪状の切り込み線８９と交差すると、単一の引裂き線が切り込み線８９に沿って伝播し、シュリンクラップ８６の、切り込み線８９の上にある部分を分離する。切り込み線８９より上のシュリンクラップ８６の除去により、消費者が容器１０を開けるためにキャップトップ２６へアクセスすることが可能となり、かつ、シュリンクラップ３０の一部を容器上に残しておくことができ、これは、シュリンクラップ８６がブランド情報を含む場合に、有利となり得る。容器１０の容器本体１２は、切り込み線８９より上のシュリンクラップ８６の一部を除去した後であっても、容器本体１２に対する回転運動および／または軸方向運動に関して、シュリンクラップ８６を実質的に固定化するような輪郭である。ノッチ８５および９０と、切り込み線８７，８８、および９１（レーザー除去によって形成することができる）との代わりに、シュリンクラップ８６は、１つ以上のプルタブ、または切り込み線以外の弱化線を含むことができる。
【００４９】
図９〜１１を参照し、別の形態に係る容器１００を説明する。参照を容易にするために、図９〜１１では、容器１０の各部に類似している容器１００の各部は、同様の参照番号で表されている。容器１００は、容器１０の容器本体１２と実質的に同一である容器本体１１２を有する。図１０に示すように、容器１００の側壁部１１８は、略長方形の断面であり、側壁部１１８の前面１１８ａおよび後面１１８ｂは、第１辺１１８ｃおよび第２辺１１８ｄよりも広い。容器本体１１２は、容器１０の把持手段１１９と同一である、複数の表面加工１１９の形態の把持手段を含む。容器１００と、容器本体１１２、キャップベース１２６、およびキャップトップ１２８等の構成要素は、上記して詳細に説明したように、容器１０と同一の材料から製造することができる。
【００５０】
容器１００は、図９に示すように、容器１００のスカート状の壁部１３２の形状に適応するためのサイズの変化を除いて、シュリンクラップ８６と実質的に同一であるシュリンクラップ１８６を含む。また、容器１００は、図１１に示すように、ベース１５６と、不正開封防止部材５４のベース５６およびプルリング５８と実質的に同一のプルリング１５８を備える不正開封防止部材１５４も含む。容器１００は、容器１０のキャップベース２６およびキャップトップ２８にそれぞれ類似するキャップベース１２６およびキャップトップ１２８を含む。
【００５１】
図１１を参照し、キャップベース１２６は、（環状であり、容器１０の中心長手軸線に沿って略平行に延在する）キャップベース２６の壁部３２とは異なり、断面が略長方形であり、外向きのテーパ状スカートの形状にされた壁部１３２を含む。容器本体１２とキャップベース２６のリップ２９との間の遷移と比較した場合、図９に示すように、壁部１３２のスカート形状により、壁部１３２が、側壁部１７４の両側部に表面加工を伴って、より滑らかに遷移することが可能となる。図９に示すように、壁部１３２の下端縁１６８の近傍の部分１９１および１９３は、容器本体１１２の側壁部１１８の部分１９５および１９７と曲率が略一致しており、容器１００全体が、上端部１６４から下端部１１６まで自然な曲率を維持しているように見え、このことは、消費者にとって視覚的に魅力的となり得る。
【００５２】
キャップベース１２６は、図６を参照して説明したように、封止フィルム１３０を介して容器１００の頸部１２２に対して封止をしつつ取り付けられた下端縁１３６を有している。図１１に示すように、壁部１３２は、容器本体１１２の頸部１２２を覆っているが、頸部１２２のみを部分的に覆うように構成されてもよい。容器１０のキャップベース２６と同様に、図１１に示すように。キャップベース１２６が容器本体１１２の頸部１２２に対して封止されている場合、フィルム１３０は、容器本体１１２の開口部を覆い、キャップベース１２６のいずれの部分も頸部１２２内または容器本体１１２の内部に配置されていない。
【００５３】
図１１を引き続き参照し、キャップベース１２６は、開口部１４４を囲む漏斗部１４２も含む。容器１０を参照してより詳細に説明したように、フィルム１３０の、開口部１４４の下にある部分が除去された場合に、開口部１４４は、容器本体１１２の内部と流体連通する。図６と１１を比較すると分かるように、漏斗部１４２は、漏斗部４２と構造および機能において実質的に同一であるが、漏斗部１４２は、壁部１３３が外方に湾曲したスカート形状であるために、より長い。注出口４６と実質的に同一である注出口１４６は、漏斗部１４２から上方に延在する。
【００５４】
容器１００のキャップトップ１２８は、容器１０のキャップトップ２８と実質的に同一であるが、容器１０に対する容器１００の全体形状の違いに適応するために、その上端部１６４からその下端縁１６８までを測定した高さが低い。キャップトップ２８および１２８の高さは、例示のみを目的として図示されており、キャップトップ２８および１２８のそれぞれ高さを、より大きくまたはより小さくしてもよいことは理解されるであろう。キャップトップ２８の側壁部７４と同様に、キャップトップ１２８の側壁部１７４は透明であり、７６と７８のようなレベルインジケータなしにキャップトップ１２８が図示されているが、側壁部７４がこのようなインジケータを１つ以上含んでもよいことは理解されるであろう。
【００５５】
キャップトップ２８と同様に、キャップトップ１２８は、キャップトップ１２８の側壁部１７４の周りに延在する、外方延在肩部１７８を含む。肩部１７８は、そこから垂下するフランジ１８０を含み、以下でより詳細に説明するように、当着部１７９の形態の遠位端を有する。肩部１７８の位置を基準に測定すると、フランジ１８０は、キャップトップ１２８の下端縁１６８に向かって下方に、キャップトップ１２８の側壁部１７４の隣接部分よりも短い距離で延在する。換言すれば、図１１に示すように、側壁部１７４の、肩部１７８を越えてキャップトップ１２８の下端縁１６８に向かって延在する部分は、フランジ１８０より長い。
【００５６】
図１の容器１０の対応する構造と同様に、肩部１７８、フランジ１８０、および、側壁部１７４の、フランジ１８０に対向する部分は、消費者が容器本体１１２からキャップトップ２８に液体濃縮物を注ぐ際に、側壁部１７４に不注意で垂れまたはこぼれた液体濃縮物を収集するためのチャネル１８２を画定する。上述のチャネル８２と同様に、チャネル１８２は、有利には、こぼれた液体濃縮物が、側壁部１７４を下り、チャネル１８２内に向けられるように配置される。このように、チャネル１８２は、液体濃縮物が、側壁部１７４全体を下り、表面上に垂れ、液体濃縮物が望ましくない汚れを作ることを制限および／または防止する。
【００５７】
上記で詳細に説明した容器１０のフランジ８０と同様に、フランジ１８０は、有利には、フランジ１８０の外面上に配置され、別途説明しないねじ部１８４を有している。容器１０および１００のもう１つの類似点は、キャップトップ１２８が容器１００のキャップベース１２６に装着され、キャップトップ１２８のフランジ１８０の外ねじ部１８４が、キャップベース１２６の壁部１３２の内ねじ部１４０に係合しして、内ねじ部１４０と外ねじ部１８４との間に第１封止部Ｓ１０１が形成されるという点である。また、キャップトップ１２８は、側壁部１７４の下端縁１６８が漏斗部１４２の上向き面と係合して、第２封止部Ｓ１０２を生成するように、キャップベース１２６に取り付けられる。容器１０と同様に、図１１に示すように、キャップベース１２６のねじ部１４０と容器１００のキャップトップ１２８のねじ部１８４が係合する場合、キャップトップ１２８の肩部１７８の当着部１７９がキャップベース１２６の上端縁１３４に係合し、任意選択の封止部Ｓ１０３を形成することができる。容器１００は、３つの封止部Ｓ１０１、Ｓ１０２、およびＳ１０３を有するように図示したが、Ｓ１０３なしでＳ１０１とＳ１０２により提供される二重の封止（または、代替的に、Ｓ１０１なしでＳ１０２とＳ１０３により提供される二重の封止）は、有利には、液体濃縮物を容器１００内にさらに封止することができ、以前に開封した（すなわち、フィルム１３０が、容器内部１２０の開口部１２２を完全に封止していない）容器１００を、キャップトップ１２８から液体濃縮物が漏れることなく、数分間にわたり上下反対向きに維持することができる。また、側壁部１７４の下端縁１６８と漏斗部１４２の上向き面との間に第２封止部Ｓ１０２が存在することで、液体濃縮物が、容器本体１１２の内部１２０から、キャップベース１２６のねじ部１４０とキャップトップ１２８のねじ部１８４の間の接触面に漏れ、ねじ部１４０および１８４を汚すことを制限することができる。
【００５８】
容器１０および１００は、一般的に使用されるキャップに対する利点を提供する。例えば、一つの利点は、液体濃縮物が不注意でキャップトップ２８および１２８の側壁部の外面に垂れた場合、液体濃縮物が側壁部の下にある表面を下まで垂れないで、上述したように、収集チャネル８２に向けられ、その中に収集されるであろう点である。他の利点は、キャップトップ２８および１２８がキャップベース２６および１２６に結合した場合に、キャップトップ２８および１２８が容器本体１２および１１２に対して少なくとも二重封止を提供し、液体濃縮物が、キャップトップ２８および１２３とキャップベース２６および１２６の間のねじ接触面に流入し、および／または、ねじ接触面を通過し、および／または、容器１０および１００が不注意でひっくり返された場合にも流出しない点である。さらなる利点は、収集チャネル８２および１８２を形成するキャップトップ２８および１２８のフランジ７８および１７８が、収集チャンネル８２から離間している雄ねじ８４と１８４を有しており、液体濃縮物が容器本体１２および１１２からキャップトップ２８および１２８に分配される際に、キャップトップ２８および１２８のねじ部８４および１８４が液体濃縮物に触れないという点である。これにより、キャップトップ２８および１２８ならびにキャップベース２６および１２６のねじ部８４および１８４が、液体濃縮物に触れて汚れることを制限および／または防止することができる。
【００５９】
図１に示す容器を開封するために、消費者はプルタブ８３でシュリンクラップ８６をつかみ、シュリンクラップ８６を下方に引っ張って、引き裂き線を、切り込み線８７および８８に沿ってシュリンクラップ８６に、および、輪状切り込み線８９に沿って容器本体１２の周りに伝播して、シュリンクラップ８６を開封し、シュリンクラップ８６の、切り込み線８９の上方の部分を分離することができ、この時点で分離した部分は廃棄することができる。シュリンクラップ８６を開封した後、消費者は、キャップトップ２８がキャップベース２６から外れるまでキャップトップ２８を回して、キャップトップ２８の外ねじ部８４をキャップベース２６の内ねじ部から離すことができる。
【００６０】
キャップトップ２８の除去は、キャップベース２６の内ねじ部４０とキャップトップ２８の外ねじ部８４の間の第１封止部Ｓ１、および、キャップトップ２８の側壁部７４の下端縁６８とキャップベース２６の漏斗部４２の上向き面の間の第２封止部Ｓ２の両方の係合を解除し、存在するのであれば、キャップトップ２８の肩部７８の当着部７９とキャップベース２６の壁部３２の上端縁３４の間の任意選択の第３封止部Ｓ３の係合を解除する。第１封止部Ｓ１、第２封止部Ｓ２、および第３封止部Ｓ３を除去しても、容器１０の容器本体１２は、フィルム３０が容器開口部２０を完全に覆っているので、封止されたままである。容器１０から液体濃縮物を分配する前に、不正開封防止部材５４を用いて、封止フィルム３０の一部を除去し、液体濃縮物が容器本体１２の内部２０から注出口４６に流れるにあたり通過する分配開口部６２をフィルム３０に設ける。具体的には、不正開封防止部材５４を除去するために、消費者は、最初に、注出口４６の自由端縁５０および５２の間の隙間を通して、プルリング５８の開口部６０に指を挿入する。次に、消費者は、注出口４６の分配面４８から離れ、注出口４６の自由端部５０および５２の間の隙間に向かう方向にプルリング５８を付勢することができる。
【００６１】
図６〜８に示すように、プルリング５８は、不正開封防止部材５４の基部５６に取り付けられているので。消費者によってプルリング５８に適用される付勢力は、プルリング５８と一緒にベース５６を引っ張り、漏斗部４２の開口部４４の周囲から基部５６を分離する。図８に示す案では、開口部４４の周囲からの基部５６の分離は、連結リブ５７の破断を含む。消費者は、注出口４６の対向する自由端部５０および５２の間の隙間を通してプルリング５８を付勢するので、プルリング５８および不正開封防止部材４４の基部５６は、キャップベース２６の漏斗部４２から完全に分離される。不正開封防止部材５４の基部５６は、封止領域４９で、フィルム３０の、開口部４４の外周内にある部分に、および、封止領域５１で、フィルム３０の、開口部４４の外周の外側にある部分に（例えば溶接により）取り付けられているので、上記でより詳細に論じ、図７に示すように、漏斗部４２からの基部５６の分離は、フィルム３０の、封止領域５１に囲まれた部分も除去する。ここで、引き裂きは隙間Ｇ内または隙間Ｇの近傍から開始し、フィルム３０に分配開口６２を形成することが好ましい。
【００６２】
不正開封防止部材５４を除去し、分配開口部６２を形成した後、消費者は、液体濃縮物を容器本体１２の内部２０から所望の容器に注ぐことができる。好ましくは、液体濃縮物は、キャップトップ２８の内部７２に分配される。この目的のために、開口部７０を露出させるためにキャップトップ２８を反転させることができ、容器本体１２からキャップトップ２８への液体濃縮物の分配を生じさせるのに必要な程度に、消費者が容器本体１２を傾けることができる。
【００６３】
消費者がキャップトップ２８に液体濃縮物を注ぐ際に、液体濃縮物は、まず、容器本体１２の内部２２から容器開口部２０を通り、次いでフィルム３０に形成された分配開口部６２を通り、その後、漏斗部４２内の開口部４４を通り、注出口４６の分配面４８上に流れる。上述したように、注出口４６の分配面４８は凹面であり、液体濃縮物を導き、液体濃縮物が注出口４６の縁５０および５２の上に垂れ、および／または、こぼれるのを制限する傾斜台状の構造を形成する。消費者は、液体濃縮物の高さがレベルインジケータ７６または７８の一つに達するまで、液体濃縮物を容器本体１２からキャップトップ２８の内部７２に注ぐことができる。レベルインジケータ７６および７８の存在により、消費者が、意図されたＲＴＤに対して適切な量の液体濃縮物を注ぐことが容易になる。測定された量の、キャップトップ２８に注がれた液体濃縮物は、水、炭酸飲料、ジュース等の液体とさらに混合され、飲用可能なＲＴＤを形成することができる。液体濃縮物を他の溶液とさらに混合する必要がないように、液体濃縮物自体を飲用可能とすることができることは理解されるであろう。
【００６４】
前述したように、側壁部７４の上端縁６８で、キャップトップ２８に垂れ、および／または、こぼれた液体濃縮物は、キャップトップ２８の側壁部７４の下方に向けられ、収集チャネル８２内に導かれるであろう。このように、収集チャネル８２は、液体濃縮物が、側壁部７４を下り、下にある面上に不所望に垂れることを効果的に制限する。
【００６５】
好適な実施形態を詳細に説明したが、変形および修正を、本明細書に記載の構成の中で行うことができる。
【図１】
2016501164.tif 000003
【図２】
2016501164.tif 000004
【図３】
2016501164.tif 000005
【図４】
2016501164.tif 000006
【図５】
2016501164.tif 000007
【図６】
2016501164.tif 000008
【図７】
2016501164.tif 000009
【図８】
2016501164.tif 000010
【図９】
2016501164.tif 000011
【図１０】
2016501164.tif 000012
【図１１】
2016501164.tif 000013
【国際調査報告】
2016501164.tif 000014
2016501164.tif 000015
2016501164.tif 000016